(57)【特許請求の範囲】
【請求項１】
端子抜け防止部を備える二分割された一方のリアホルダを、端子抜け防止位置と非端子抜け防止位置とにヒンジを介して回動自在に備えたコネクタハウジングに対して、
前記端子抜け防止位置へ回動した前記一方のリアホルダと対向するように、前記コネクタハウジングに取り付けられる、端子抜け防止部を備える二分割された他方のリアホルダと、
前記端子抜け防止位置へ回動した前記一方のリアホルダと対向するように、前記他方のリアホルダに対応するリアホルダ部を位置させて前記コネクタハウジングに取り付けられる、電線の引き出し方向を規制する電線規制カバーとを選択して取付可能に構成され、
前記電線規制カバーは、前記端子抜け防止位置へ回動した前記一方のリアホルダと対向する二分割された一方の電線規制カバー部と、
この一方の電線規制カバー部にヒンジを介して連結された、二分割された他方の電線規制カバー部とで構成され、
前記一方の電線規制カバー部は、前記端子抜け防止位置へ回動した前記一方のリアホルダと対向するように取り付けられる前記リアホルダ部を有する、
ことを特徴とするコネクタ。
【請求項２】
端子抜け防止部を備える二分割された一方のリアホルダを、端子抜け防止位置と非端子抜け防止位置とにヒンジを介して回動自在に備えたコネクタハウジングに対して取り付けられる、電線の引き出し方向を規制する電線規制カバーであって、
前記端子抜け防止位置へ回動した前記一方のリアホルダと対向するように、前記コネクタハウジングに取り付けられる二分割された他方のリアホルダに対応するリアホルダ部を有する、二分割された一方の電線規制カバー部と、
この一方の電線規制カバー部にヒンジを介して連結された、二分割された他方の電線規制カバー部とで構成され、
前記一方の電線規制カバー部は、端子抜け防止部を有する、
ことを特徴とする電線規制カバー。
【発明の詳細な説明】
【技術分野】
【０００１】
この発明は、電線の引き出し方向を規制せずにそのまま引き出したり、電線の引き出し方向を一定方向に規制することのできるコネクタおよび電線規制カバーに関するものである。
【背景技術】
【０００２】
コネクタから電線を引き出す場合、電線の引き出し方向を規制せずにそのまま引き出す場合と、電線の引き出し方向を一定方向に規制する場合（すなわち、電線の引き出し方向を変更する場合）（例えば、特許文献１参照）とがある。
【０００３】
上記のように、コネクタから電線の引き出し方向を一定方向に規制する場合は、コネクタハウジングに電線規制カバーを装着している。
【先行技術文献】
【特許文献】
【０００４】
【特許文献１】特開２００４−３５０３４２号公報
【発明の概要】
【発明が解決しようとする課題】
【０００５】
上記引用文献１には、端子抜け防止（端子二重抜け防止）をどのような構成で行うのかが記載されていません。
【０００６】
したがって、電線の引き出し方向を規制せずにそのまま引き出す場合のコネクタと、電線の引き出し方向を一定方向に規制する場合のコネクタとを用意する必要があり、部品点数が多くなるとともに、コストアップになる。
【０００７】
この発明は、上記した不都合を解消するためになされたもので、一方のリアホルダを共用することによって部品点数を増加させることなく、コストダウンを図りつつ、電線の引き出し方向を規制せずにそのまま引き出したり、電線の引き出し方向を一定方向に規制することのできるコネクタおよび電線規制カバーを提供するものである。
【課題を解決するための手段】
【０００８】
この発明のコネクタは、端子抜け防止部を備える二分割された一方のリアホルダを、端子抜け防止位置と非端子抜け防止位置とにヒンジを介して回動自在に備えたコネクタハウジングに対して、前記端子抜け防止位置へ回動した前記一方のリアホルダと対向するように、前記コネクタハウジングに取り付けられる、端子抜け防止部を備える二分割された他方のリアホルダと、前記端子抜け防止位置へ回動した前記一方のリアホルダと対向するように、前記他方のリアホルダに対応するリアホルダ部を位置させて前記コネクタハウジングに取り付けられる、電線の引き出し方向を規制する電線規制カバーとを選択して取付可能に構成され、前記電線規制カバーが、前記端子抜け防止位置へ回動した前記一方のリアホルダと対向する二分割された一方の電線規制カバー部と、この一方の電線規制カバー部にヒンジを介して連結された、二分割された他方の電線規制カバー部とで構成され、前記一方の電線規制カバー部が、前記端子抜け防止位置へ回動した前記一方のリアホルダと対向するように取り付けられる前記リアホルダ部を有することを特徴とする。
【０００９】
この発明の電線規制カバーは、端子抜け防止部を備える二分割された一方のリアホルダを、端子抜け防止位置と非端子抜け防止位置とにヒンジを介して回動自在に備えたコネクタハウジングに対して取り付けられる、電線の引き出し方向を規制する電線規制カバーであって、前記端子抜け防止位置へ回動した前記一方のリアホルダと対向するように、前記コネクタハウジングに取り付けられる二分割された他方のリアホルダに対応するリアホルダ部を有する、二分割された一方の電線規制カバー部と、この一方の電線規制カバー部にヒンジを介して連結された、二分割された他方の電線規制カバー部とで構成され、前記リアホルダ部が、端子抜け防止部を有することを特徴とする。
【発明の効果】
【００１０】
この発明のコネクタによれば、一方のリアホルダを有するコネクタハウジングに対して、他方のリアホルダと、電線規制カバーとを選択して取付可能に構成したので、一方のリアホルダを共用することによって部品点数を増加させることなく、コストダウンを図りつつ、電線の引き出し方向を規制せずにそのまま引き出したり、電線の引き出し方向を一定方向に規制することができる。
【図面の簡単な説明】
【００１１】
【図１】この発明の一実施例であるコネクタの一態様を示す分解斜視図である。
【図２】図１に示したコネクタの組立過程を示す説明図である。
【図３】図１に示したコネクタの組立過程を示す説明図である。
【図４】この発明の一実施例であるコネクタの他の態様を示す分解斜視図である。
【図５】図４に示したコネクタの組立過程を示す説明図である。
【図６】図４に示したコネクタの組立過程を示す説明図である。
【図７】図４に示したコネクタの組立過程を示す説明図である。
【発明を実施するための形態】
【００１２】
この発明の一実施例であるコネクタＣは、図１、図４に示すように、端子抜け防止部２５を備える二分割された一方のリアホルダである上側リアホルダ２１を、端子抜け防止位置Ｐ１（図２、図５参照）と非端子抜け防止位置Ｐ２とにヒンジ１９（図２、図５参照）を介して回動自在に備えたコネクタハウジング１１に対して、端子抜け防止位置Ｐ１へ回動した上側リアホルダ２１と対向するように、コネクタハウジング１１に取り付けられる、端子抜け防止部４５を備える二分割された他方のリアホルダである下側リアホルダ４１と、この下側リアホルダ４１のようにコネクタハウジング１１に取り付けられる、電線Ｗの引き出し方向を一定方向、例えば、９０度屈曲させた方向に規制する電線規制カバー５１とを選択して取付可能に構成されている。
【００１３】
上記したコネクタハウジング１１は、図１に示すように、前後方向へ延びる複数の挿入孔１３が後端面から前側へ向けて設けられるとともに、左右の側面の上下に、被ロック部１５Ａと被取付部１５Ｂとが設けられている。
【００１４】
そして、挿入孔１３内へ挿入した電線Ｗが挿入孔１３から抜け出ないように、電線Ｗに係合する上下に二分割された一方（上側）のリアホルダ（上側リアホルダ）２１が、複数（２つ）のヒンジ１９（図２参照）を介して回動自在に、コネクタハウジング１１の上側に設けられている。
【００１５】
なお、図示は省略されているが、端子抜け防止位置Ｐ１に位置する上側リアホルダ２１の前端部に対応するコネクタハウジング１１の下側部分には、左右方向へ延びる複数の凹部（係止部）が設けられている。
【００１６】
そして、コネクタハウジング１１の挿入孔１３へ挿入される電線Ｗの先端には、図１に示すように、芯線を保持するように芯線に接続されるとともに、絶縁被覆ｃを保持する端子Ｔが取り付けられている。
【００１７】
なお、芯線に接続される端子と、絶縁被覆ｃに取り付けられる（固定される）部材とは、別部材であってもよい。
【００１８】
この電線Ｗが端子Ｔ側から挿入される挿入孔１３内は、端子Ｔに電気的に接続される端子が備えられているとともに、端子Ｔが挿入孔１３から抜け出ないように端子Ｔに係合する係合機構が設けられている。
【００１９】
上記した上側リアホルダ２１には、端子抜け防止位置Ｐ１へ回動した状態で、挿入孔１３内へ挿入された電線Ｗの一部が入り込む複数の切り欠き２３と、この複数の切り欠き２３の周縁部で形成され、挿入孔１３内へ挿入された電線Ｗに設けられている端子Ｔに当接して電線Ｗが挿入孔１３から抜け出るのを防止する端子抜け止め防止部２５と、左右の端に位置し、コネクタハウジング１１の被ロック部１５Ａと係合して上側リアホルダ２１を端子抜け防止位置Ｐ１にロックするロック部２７とが設けられている。
【００２０】
なお、上側リアホルダ２１を端子抜け防止位置Ｐ１へ回動した状態では、図２に示すように、コネクタハウジング１１と上側リアホルダ２１との間に、左右方向へ延びる隙間２９が形成される。
【００２１】
そして、コネクタハウジング１１に、端子Ｔが接続される端子に接続されるバスバー３１がインサート成形されており、このバスバー３１には、取付孔３３が設けられている。
【００２２】
次に、コネクタＣの一態様に用いる下側リアホルダ４１について説明する。
【００２３】
上下に二分割された他方のリアホルダである下側リアホルダ４１には、挿入孔１３内へ挿入された電線Ｗの一部が入り込む複数の切り欠き４３と、この複数の切り欠き４３の周縁部で形成され、挿入孔１３内へ挿入された電線Ｗに設けられている端子Ｔに当接して電線Ｗが挿入孔１３から抜け出るのを防止する端子抜け止め防止部４５と、左右の端に位置し、コネクタハウジング１１の被取付部１５Ｂに係合して下側リアホルダ４１をコネクタハウジング１１に取り付ける取付部４９とが設けられている。
【００２４】
なお、図示は省略されているが、コネクタハウジング１１の凹部（係止部）に対応する下側リアホルダ４１の前端部上側（前端部内側）には、コネクタハウジング１１の凹部（係止部）に係合する係合突条（または係合突起）が設けられている。
【００２５】
次に、下側リアホルダ４１のコネクタハウジング１１への取付について説明する。
【００２６】
まず、図１に示すように、上側リアホルダ２１を非端子抜け防止位置Ｐ２に位置させる。
【００２７】
そして、各挿入孔１３内へ電線Ｗを、端子Ｔ側を先にして挿入し、挿入孔１３内に設けられている端子に端子Ｔを接続するとともに、端子Ｔを係合機構に係合させることにより、電線Ｗが挿入孔１３から抜け出ないようにする。
【００２８】
次に、非端子抜け防止位置Ｐ２に位置する上側リアホルダ２１を、図２に示すように、端子抜け防止位置Ｐ１へと回動させて各切り欠き２３内に電線Ｗの一部を位置させるとともに、ロック部２７を被ロック部１５Ａに係合させることにより、各端子抜け防止部４５を端子Ｔと対向（対接）させ、電線Ｗが挿入孔１３から抜け出ないように二重係合（二重ロック）する。
【００２９】
この状態で、図３に示すように、下側リアホルダ４１の各切り欠き４３内に電線Ｗの一部を位置させるとともに、取付部４９を被取付部１５Ｂに係合させることにより、下側リアホルダ４１をコネクタハウジング１１に取り付ける。
【００３０】
このように、下側リアホルダ４１をコネクタハウジング１１に取り付けると、各端子抜け防止部４５が端子Ｔと対向（対接）し、電線Ｗが挿入孔１３から抜け出ないように二重係合（二重ロック）する。
【００３１】
なお、下側リアホルダ４１をコネクタハウジング１１に取り付けると、コネクタハウジング１１の下側に設けられている凹部（係止部）に下側リアホルダ４１の係合突条（係合突起）が係合し、下側リアホルダ４１がコネクタハウジング１１の前後方向へ移動するのを阻止する。
【００３２】
次に、コネクタＣの他の態様に用いる電線カバー５１について説明する。
【００３３】
電線規制カバー５１は、図５に示すように、上下に二分割された一方の電線規制カバー部である下側電線規制カバー部５３と、この下側電線規制カバー部５３にヒンジ６９を介して連結された、上下に二分割された他方の電線規制カバーである上側電線規制カバー部７１とで構成されている。
【００３４】
上記した下側電線規制カバー部５３は、端子抜け防止位置Ｐ１へ回動した上側リアホルダ２１と対向するように、コネクタハウジング１１に取り付けられる。
【００３５】
この下側電線規制カバー部５３は、先に説明した下側リアホルダ４１に対応する、すなわち、下側リアホルダ４１と同じに構成されたリアホルダ部（他方のリアホルダ）５５と、このリアホルダ部５５に連設された電線Ｗの引き出し方向を一定方向に規制する下側電線規制カバー部分６５とで構成されている。
【００３６】
上記したリアホルダ部５５には、挿入孔１３内へ挿入された電線Ｗの一部が入り込む複数の切り欠き５７と、この複数の切り欠き５７の周縁部で形成され、挿入孔１３内へ挿入された電線Ｗに設けられている端子Ｔに当接して電線Ｗが挿入孔１３から抜け出るのを防止する端子抜け止め防止部５９と、左右の端に位置し、コネクタハウジング１１の被取付部１５Ｂに係合してリアホルダ部５５をコネクタハウジング１１に取り付ける取付部６１とが設けられている。
【００３７】
なお、図示は省略されているが、コネクタハウジング１１の凹部（係止部）に対応するリアホルダ部５５の前端部上側（前端部内側）には、コネクタハウジング１１の凹部（係止部）に係合する係合突条（または係合突起）が設けられている。
【００３８】
そして、下側電線規制カバー部５３には、複数（２つ）の被ロック部６７が設けられている。
【００３９】
上記した、電線Ｗの引き出し方向を一定方向に規制する上側電線規制カバー部７１には、コネクタハウジング１１と上側ホルダ２１との間に形成される隙間２９に対応する係合突条（係合突起）７３と、被ロック部６７に係合する複数（２つ）のロック部７５とが設けられている。
【００４０】
次に、電線カバー５１のコネクタハウジング１１への取付について説明する。
【００４１】
まず、図４に示すように、上側リアホルダ２１を非端子抜け防止位置Ｐ２に位置させる。
【００４２】
そして、各挿入孔１３内へ電線Ｗを、端子Ｔ側を先にして挿入し、挿入孔１３内に設けられている端子に端子Ｔを接続するとともに、端子Ｔを係合機構に係合させることにより、電線Ｗが挿入孔１３から抜け出ないようにする。
【００４３】
次に、非端子抜け防止位置Ｐ２に位置する上側リアホルダ２１を、図５に示すように、端子抜け防止位置Ｐ１へと回動させて各切り欠き２３内に電線Ｗの一部を位置させるとともに、ロック部２７を被ロック部１５Ａに係合させることにより、各端子抜け防止部４５を端子Ｔと対向（対接）させ、電線Ｗが挿入孔１３から抜け出ないように二重係合（二重ロック）する。
【００４４】
この状態で、図６に示すように、リアホルダ部５５の各切り欠き５７内に電線Ｗの一部を位置させるとともに、取付部６１を被取付部１５Ｂに係合させることにより、リアホルダ部５５（下側電線規制カバー部５３）をコネクタハウジング１１に取り付ける。
【００４５】
このように、リアホルダ部５５をコネクタハウジング１１に取り付けると、各端子抜け防止部５９が端子Ｔと対向（対接）し、電線Ｗが挿入孔１３から抜け出ないように二重係合（二重ロック）する。
【００４６】
なお、リアホルダ部５５をコネクタハウジング１１に取り付けると、コネクタハウジング１１の下側に設けられている凹部（係止部）にリアホルダ部５５の係合突条（係合突起）が係合し、リアホルダ部５５（下側電線規制カバー部５３）がコネクタハウジング１１の前後方向へ移動するのを阻止する。
【００４７】
次に、図７に示すように、ヒンジ６９を介して上側電線規制カバー部７１を回動させ、ロック部７５を被ロック部６７に係合させることにより、上側電線規制カバー部７１と下側電線規制カバー部５３とを一体化することができ、電線Ｗの引き出し方向を規制することができる。
【００４８】
このように、ロック部７５を被ロック部６７に係合させて上側電線規制カバー部７１と下側電線規制カバー部５３とを一体化すると、隙間２９に係合突条７３が入って係合し、上側電線規制カバー７１がコネクタハウジング１１の前後方向へ移動するのを阻止する。
【００４９】
上述したように、この発明の一実施例によれば、上側リアホルダ２１を有するコネクタハウジング１１に対して、下側リアホルダ４１と、電線規制カバー５１とを選択して取付可能に構成したので、上側リアホルダ２１を共用することによって部品点数を増加させることなく、コストダウンを図りつつ、電線Ｗの引き出し方向を規制せずにそのまま引き出したり、電線Ｗの引き出し方向を一定方向に規制することができる。
【符号の説明】
【００５０】
Ｃ      コネクタ
１１    コネクタハウジング
１３    挿入孔
１５Ａ  被ロック部
１５Ｂ  被取付部
１９    ヒンジ
２１    上側リアホルダ（一方のリアホルダ）
２３    切り欠き
２５    端子抜け防止部
２７    ロック部
２９    隙間
３１    バスバー
３３    取付孔
４１    下側リアホルダ（他方のリアホルダ）
４３    切り欠き
４５    端子抜け防止部
４９    取付部
５１    電線規制カバー
５３    下側電線規制カバー部（一方の電線規制カバー部）
５５    リアホルダ部（他方のリアホルダ）
５７    切り欠き
５９    端子抜け防止部
６１    取付部
６５    下側電線規制カバー部分
６７    被ロック部
６９    ヒンジ
７１    上側電線規制カバー部（他方の電線規制カバー部）
７３    係合突条（係合突起）
７５    ロック部
Ｗ      電線
ｃ      絶縁被覆
Ｔ      端子
Ｐ１    端子抜け防止位置
Ｐ２    非端子抜け防止位置
【図１】
0005841866.tif 000002
【図２】
0005841866.tif 000003
【図３】
0005841866.tif 000004
【図４】
0005841866.tif 000005
【図５】
0005841866.tif 000006
【図６】
0005841866.tif 000007
【図７】
0005841866.tif 000008